(57)【要約】　　　（修正有）【課題】リモコンにチャンネル番号を登録すると、その登録した番号を使用者が記憶しておかなければならず、デジタル放送のような多チャンネルの場合、覚えきれないという問題がある。【解決手段】リモコンにチャンネル番号の記憶手段と表示手段を設け、かかる表示手段に登録したチャンネル番号の一覧を表示するようにし、所望のチャンネルを簡単に選択できるようにした。さらに、登録したチャンネル番号が多い場合でも、スクロール手段を設けて対応できるようにした。【選択図】　図１
2004072385.tif 000002
【特許請求の範囲】
【請求項１】
表示部を有したリモートコントロール装置において、
複数桁のチャンネル番号をリモートコントロール装置上のキーに対応させて記憶する記憶手段と、
前記記憶されたチャンネル番号とリモートコントロール装置上のキーの対応関係を前記表示部に表示する表示手段と、
を具備することを特徴とするリモートコントロール装置。
【請求項２】
表示部を有したリモートコントロール装置において、
複数桁のチャンネル番号を記憶する記憶手段と、
前記記憶されたチャンネル番号を前記表示部に表示する表示手段と、
前記表示されたチャンネル番号を選択する選択手段と、
を具備することを特徴とするリモートコントロール装置。
【請求項３】
請求項２記載のリモートコントロール装置において、
前記表示部に表示されたチャンネル番号をスクロールさせるスクロール手段を具備することを特徴とするリモートコントロール装置。
【発明の詳細な説明】
【０００１】
【発明の属する技術分野】
本発明は、リモートコントロール装置に関わり、特に、デジタル放送受信機等の多チャンネル放送の受信機に用いられるリモートコントロール装置に好適に適用できるものである。
【０００２】
【従来の技術】
現在、テレビジョン受信機のリモートコントロール装置（以下、リモコンという）には、０から９までの数字キーからなる所謂テンキーが設けられている。テレビ放送のチャンネルを選局する場合は、所望のチャンネルのチャンネル番号をこのテンキーから入力している。
【０００３】
ところで、近年、登場してきたデジタル放送においては、そのチャンネル数が数１００という多大な数にのぼる。そのため、チャンネル番号も３桁或いは４桁という多桁の数字になっている。
【０００４】
従って、従来のようにリモコンのテンキーによりチャンネル番号を入力しようとした場合、３桁乃至４桁の数字を一々入力しなければならず、操作が面倒となる。
【０００５】
この問題に対し、３桁乃至４桁のチャンネル番号を登録し、登録されたチャンネルは特定のキーを選択することで呼び出すことができる短縮キーを設けることが考えられる。このような発明を開示した文献として特願昭６３−２３２７５４号公報がある。
【０００６】
図５は、上記公報に記載されたリモートコントロール装置のブロック図である。図５において、５０１はリモコン送信機、５０２はテレビジョン受信機である。また、リモコン送信機５０１は、制御部５０４、メモリ部５０５、出力部５０７、キー入出力部５０６からなるマイコン５０３と、マイコン５０３にキー入出力部５０６を介してキー入力するキーボード部５０８と、マイコン５０３の出力部５０７から出力されるリモコン送信コードによって赤外線を変調する赤外線出力回路部５１４と、マイコン５０３にクロックパルスを供給する発信回路部５１２と、マイコン５０３等に電源を供給する電源部５１３とから構成される。また、テレビジョン受信機５０２にはリモコン受光部５１５が設けられている。
【０００７】
かかる発明は、リモコン送信部５０１のマイコン５０３のメモリ部５０５に、キーボード５０８からキー入力される２桁のチャンネル番号を予め記憶させておき、選局操作時には１回のキー操作でメモリ部１０５からテレビジョン受信機の選局が行えるようにしたものである。
【０００８】
ここで、メモリにチャンネル番号を記憶させる方法は、次のような手順による。
【０００９】
即ち、キーボードのプリセットキー５１０を押し、プリセットモードにする。次に数字キー５０９を操作し、ポジション番号を指定する（例えば“０”）。続いて、チャンネル番号を数字キーを操作して指定する（例えば“１２”）。最後にメモリキー５１１を押す。以上の操作により、０ポジションに１２チャンネルのチャンネル番号が指定されたことになる。
【００１０】
【発明が解決しようとする課題】
以上のように、多桁のチャンネル番号を特定のポジション（特定の番号キー）に割り付けることにより、一々多桁のチャンネル番号を入力しなくてすむという効果が得られる。
【００１１】
しかしながら、従来のテレビジョン放送においては、登録する必要のある多桁のチャンネルは少数であった（例えば、ＵＨＦのチャンネル等）ため、チャンネル番号を登録するという必要性はあまり高くなかった。また、登録する数も限られていたので、どのポジションに、何チャンネルを登録したのかは、使用者が適宜記憶しておけばすんでいた。
【００１２】
ところが、デジタル放送のような多チャンネルの場合は、ほとんどのチャンネル番号が多桁の番号であるため、その登録を欲するチャンネ数も多くなる。従来の方法では、どのポジションに、何チャンネルを登録したのかは登録した使用者が記憶しておけばすんでいたが、デジタル放送のような多チャンネルの場合は、その数も多くなり、使用者が覚えきれないという事態が想定される。そのため、その登録したチャンネル番号とポジションとの対応関係を失念してしまう、或いは間違える等の問題が懸念される。また、家庭内で使用されるテレビジョン受信機等のリモコンは複数の家族が共通して使用するものであるため、自分の知らない間に他の人によって登録したチャンネル番号が変更されていた等ということも生じ得る。
【００１３】
以上のように、放送の多チャンネル化に伴い、従来のテレビジョン放送では、さして問題とならなかったことが問題となるようになっている。
【００１４】
本発明は、かかる課題に鑑み、これを解決したリモートコントロール装置を提供するものである。
【００１５】
【課題を解決するための手段】
本発明は、上記課題を解決するため、以下のような手段を講じた。
【００１６】
即ち、本発明に係るリモートコントロール装置は、表示部を有したリモートコントロール装置において、複数桁のチャンネル番号をリモートコントロール装置上のキーに対応させて記憶する記憶手段と、前記記憶されたチャンネル番号とリモートコントロール装置上のキーの対応関係を前記表示部に表示する表示手段と、　を具備するようにした。
【００１７】
また、複数桁のチャンネル番号を記憶する記憶手段と、前記記憶されたチャンネル番号を前記表示部に表示する表示手段と、前記表示されたチャンネル番号を選択する選択手段と、を具備するようにしても良い。
【００１８】
ここで、前記表示部に表示されたチャンネル番号をスクロールさせるスクロール手段を具備することが好ましい。
【００１９】
【発明の実施の形態】
図１に本発明に係るリモートコントロール装置のブロック図を示す。
【００２０】
図１において、１０１は制御用のマイコン、１０２はテンキー、選択キー、登録キー等から構成される操作手段、１０３は登録したチャンネル番号等を記録するメモリ、１０４は液晶等で構成される表示部である。
【００２１】
本発明に係るリモートコントロール装置は、表示部に登録されたチャンネル番号を表示することを特徴とするものである。
【００２２】
使用者は、操作部１０２から登録したいチャンネル番号及び登録したいポジションを入力する。かかるデータが入力されると、これらのデータはマイコン１０１に送られる。マイコン１０１では、これらのデータをメモリ１０３に記録すると共に、表示部１０４に表示できる形態に変換する。表示部１０４には、入力されたチャンネル番号とそのチャンネル番号が登録されているテンキーの番号（ポジション）とが、対応付けられて表示される。
【００２３】
図２は、本発明に係るリモートコントロール装置の外観図である。
【００２４】
図２において、２０１は表示部、２０２はテンキー部、２０３は登録キーである。
【００２５】
また、図４にチャンネル番号の登録方法の手順をフローチャートで示す。
【００２６】
以下、図２、図４を参照して、チャンネル番号の登録手順を説明する。
【００２７】
先ず、登録キー２０３を押し、登録モードに移行する（ステップＳ４０２）。
【００２８】
次に、登録したいポジション（キー）をテンキー２０２の内から選択する（例えば“０”）（ステップＳ４０３）。
【００２９】
続いて、登録したいチャンネル番号をテンキー２０２から入力する（例えば、“１０２”）（ステップＳ４０４）。
【００３０】
最後に、登録キー２０３を押すことにより登録内容がメモリに記録され登録が完了する（ステップＳ４０５）。ここで、登録が完了すると、表示部２０１に登録された内容が表示される（例えば、キー番号“０”、チャンネル番号“１０２”）（ステップＳ４０６）。
【００３１】
以上のような構成により、チャンネル番号と、そのチャンネル番号が登録されたポジションの関係が容易に理解でき、失念や、知らない間に登録番号が変更されていた等のトラブルを回避できる。
【００３２】
次に、本願発明に係るリモートコントロール装置の第２の実施形態を示す。
【００３３】
図３は、本願発明の第２の実施形態にかかるリモートコントロール装置の外観図である。
【００３４】
図３において、３０１は表示部、３０２は表示部に表示されたカーソル、３０３０はテンキー、３０４は登録キー、３０５はカーソル移動キー、３０６は決定キーである。
【００３５】
第２の実施形態では、登録したいチャンネル番号をテンキー３０３により入力し、登録キー３０４を押すとそのチャンネル番号が登録される、この登録されたチャンネル番号は、逐次表示部３０１に表示される。表示部３０１に表示しきれなくなった場合、逐次画面がスクロールし、順次新しいチャンネル番号が表示される。
【００３６】
以上のように登録されたチャンネル番号を選択する際には、表示部３０１に表示されたカーソル３０２をカーソル移動キー３０５で移動させ、所望のチャンネル番号を選択する。ここで、決定キー３０６を押すと選択されたチャンネルが選局される。
【００３７】
第１の実施形態では、登録できるチャンネル数はテンキー等、リモコン上のキーの数に限られるが、第２の実施形態によれば、より多くのチャンネル数を登録することができる。
【００３８】
【発明の効果】
本発明によれば、登録したチャンネル番号とポジションとの関係が、表示部に表示されるので、容易にその関係を把握することができ、失念等のトラブルを回避できる。
【００３９】
また、表示部に表示されたチャンネル番号を選択することで選局が行えるので、より多くのチャンネル番号を登録することができる。
【図面の簡単な説明】
【図１】本発明に係るリモートコントロール装置のブロック図である。
【図２】本発明に係るリモートコントロール装置の概観図である。
【図３】本発明に係るリモートコントロール装置の他の概観図である。
【図４】本発明に係るリモートコントロール装置動作手順フローチャートである。
【図５】従来のリモートコントロール装置のブロック図である。
【符号の説明】
１０１、５０３・・・マイコン、１０２・・・操作部、１０３、５０５、５１１・・・メモリ、１０４、２０１、３０１・・・表示部、２０２、３０３、５０９・・・テンキー、２０３、３０４・・・登録キー、３０２・・・カーソル、３０５・・・カーソル移動キー、３０６・・・決定キー、５０１・・・リモコン送信機、５０２・・・テレビジョン受信機、５０４・・・制御部、５０６・・・キー入出力部、５０７・・・出力部、５０８・・・キーボード部、５１０・・・プリセット部、５１２・・・発信回路、５１３・・・電源部、５１４・・・出力回路、５１５・・・リモコン受光部
【図１】
2004072385.tif 000003
【図２】
2004072385.tif 000004
【図３】
2004072385.tif 000005
【図４】
2004072385.tif 000006
【図５】
2004072385.tif 000007